(57)【要約】【課題】本発明は、通気性が高く、しかも座わった際の感覚に優れた座蒲団を提供することを目的とする。【解決手段】本発明は、着席者の臀部に当接する座蒲団であって、可撓性を有する袋体と、この袋体に収容される複数の略円筒状の弾性材とを備え、袋体が、上下方向で対向する一対のメッシュ状布体と、一対のメッシュ状布体を周縁部において接合する接合部と、一対のメッシュ状布体を中央部においてポイント状に連結する連結部とを有する座蒲団である。弾性材は、平均外径３ｍｍ以上７ｍｍ以下、平均長さ４ｍｍ以上８ｍｍ以下、側壁の平均厚さ０．０５ｍｍ以上１ｍｍ以下であるとよい。弾性材は熱可塑性エラストマー製であるとよい。連結部における一対のメッシュ状布体間の距離が１ｃｍ以内であるとよい。袋体は複数の連結部を有するとよく、この複数の連結部を袋体の平面視中心に対して均等に配設するとよい。【選択図】図２
2015054227.tif 000002
【特許請求の範囲】
【請求項１】
着席者の臀部に当接する座蒲団であって、
可撓性を有する袋体と、この袋体に収容される複数の略円筒形状の弾性材とを備え、
上記袋体が、上下方向で対向する一対のメッシュ状布体と、一対のメッシュ状布体を周縁部において接合する接合部と、一対のメッシュ状布体を中央部においてポイント状に連結する連結部とを有することを特徴とする座蒲団。
【請求項２】
上記弾性材の平均外径が３ｍｍ以上７ｍｍ以下、平均長さが４ｍｍ以上８ｍｍ以下、側壁の平均厚さが０．０５ｍｍ以上１ｍｍ以下である請求項１に記載の座蒲団。
【請求項３】
上記弾性材が熱可塑性エラストマー製である請求項１又は請求項２に記載の座蒲団。
【請求項４】
上記連結部における一対のメッシュ状布体間の距離が１ｃｍ以内である請求項１、請求項２又は請求項３に記載の座蒲団。
【請求項５】
上記袋体が、複数の上記連結部を有する請求項１から請求項４のいずれか１項に記載の座蒲団。
【請求項６】
複数の上記連結部が、上記袋体の平面視中心に対して均等に配設されている請求項５に記載の座蒲団。
【請求項７】
上記連結部と上記袋体の平面視中心との距離が、袋体の半径の０．２倍以上０．５倍以下である請求項５又は請求項６に記載の座蒲団。
【請求項８】
上記袋体を収容するカバー体をさらに備える請求項１から請求項７のいずれか１項に記載の座蒲団。
【発明の詳細な説明】
【技術分野】
【０００１】
本発明は、座蒲団に関する。
【背景技術】
【０００２】
座蒲団は、着席者の臀部に当接するよう、椅子や床等の座面に載置されて用いられ、これにより着席者の臀部や腰部の負荷を低減できるものである。このような座蒲団は、一般的には、織布等からなる袋体の内部に綿や発泡ウレタン等の緩衝材を充填したものが公知である。なお、かかる座蒲団の携帯の利便性を考慮したものとして実開平８−９６号公報のものが公知である。
【先行技術文献】
【特許文献】
【０００３】
【特許文献１】実開平８−９６号公報
【発明の概要】
【発明が解決しようとする課題】
【０００４】
しかし、上記従来の座蒲団は、通気性が悪く、内部に湿気が溜まり、内部に充填される緩衝材にカビが発生する等のおれそがある。また、従来の座蒲団は、着席者の座骨が倒れた状態となってしまい、このように座骨が倒れることで姿勢が悪くなる。また、綿を用いた従来の座蒲団は、繰り返し使用されることによって内部の綿が袋体の一部に偏ってしまい、着用者が座った際の感覚が悪くなる。さらに、このような袋体内の綿の偏りを解消するには、袋体を開封し、綿を詰めなおす作業等が必要となり、この作業は極めて煩雑である。この袋体内に充填する緩衝材の偏りを解消するために、緩衝材として多数のチップ状部材を介在させることも考えられるが、この場合、座った際に着席者の体重によってチップ状部材が移動し、チップ状部材の偏りが生じてしまい、結果として座った際の感覚が悪くなるおそれがある。
【０００５】
そこで、本発明は、上述のような事情に基づいてなされたものであり、通気性が高く、しかも座わった際の感覚に優れた座蒲団を提供することを目的とする。
【課題を解決するための手段】
【０００６】
上記課題を解決するためになされた発明は、
着席者の臀部に当接する座蒲団であって、
可撓性を有する袋体と、この袋体に収容される複数の略円筒状の弾性材とを備え、
上記袋体が、上下方向で対向する一対のメッシュ状布体と、一対のメッシュ状布体を周縁部において接合する接合部と、一対のメッシュ状布体を中央部においてポイント状に連結する連結部とを有することを特徴とする座蒲団である。
【０００７】
当該座蒲団は、可撓性を有する袋体に複数の弾性材が収容されているので、着席者の体重によって変形しつつ緩衝性をもって着席者の体重を支える。また、袋体に複数の円筒状の弾性材が収容されるので、着席者の体重がかかった際に弾性材が容易に圧縮変形する。このように当該座蒲団は柔軟性に優れているので、着席者の座骨が正しい位置となる。また、当該座蒲団は、上述のように柔軟性に優れているため、正しい位置にある座骨を軸にして着席者が動作を行った場合も、この動作に伴って容易に変形することができ、このため座骨を軸にした動作を着席者が容易に行うことができる。また、当該座蒲団は、上述のように弾性材が容易に変形するので、着席に際して弾性材が不必要に袋体内を移動せず、このため座った際の感覚に優れる。しかも、袋体が上下一対のメッシュ状布体を中央部の連結部で連結しているため、上記弾性材の袋体内での自由な移動が規制されている。また、着席者が離席し、弾性材が着席者の体重から開放されると、弾性材は弾性力によって原状形状に向けて復元し、このため仮に袋体内での弾性材の偏りが生じていても、当該座蒲団を傾ける等の作業によって弾性材を移動させて、上記偏りを容易に解消することができる。さらには、当該座蒲団は、弾性材が略円筒形であり、この弾性材を収容する袋体が主としてメッシュ状布体から構成されているため、座蒲団の内部の通気性に優れている。なお、上記連結部が形成される「中央部」とは、メッシュ本体の周縁部以外の領域を意味する。
【０００８】
当該座蒲団にあっては、上記弾性材の平均外径が３ｍｍ以上７ｍｍ以下、平均長さが４ｍｍ以上８ｍｍ以下、側壁の平均厚さが０．０５ｍｍ以上１ｍｍ以下であるとよい。これにより、上述のように体重がかかった際に弾性材が容易に変形でき、また袋体内での弾性材の移動が好適な範囲で規制される。
【０００９】
上記弾性材は熱可塑性エラストマー製であるとよい。これにより、好ましい弾性を有する円筒状の弾性体を容易かつ確実に製造することができる。
【００１０】
上記連結部における一対のメッシュ状布体間の距離としては、１ｃｍ以内が好ましい。これにより、袋体内での弾性材の移動がより好適な範囲で規制される。
【００１１】
上記袋体が複数の上記連結部を有するとよい。これにより、袋体内での弾性材の移動がより好適に規制できる。
【００１２】
この複数の連結部は、袋体の平面視中心に対して均等に配設されていることが好ましい。これにより、袋体内での弾性材の移動が中心に対する各方向に均一になされることになる。なお、袋体の平面視中心とは、袋体を平面視した場合における袋体の周縁の形状の重心を意味する。
【００１３】
また、上述のように袋体が複数の連結部を有する場合において、上記連結部と上記袋体の平面視中心との距離が、袋体の半径の０．２倍以上０．５倍以下であるとよい。これにより、袋体内での弾性材の移動がさらに好適な範囲で規制できる。
【００１４】
当該座蒲団は、上記袋体を収容するカバー体をさらに備えるとよい。このようなカバー体を備えることによって、当該座蒲団の意匠性を向上させることができるとともに、当該座蒲団が汚損した場合にも、外部の上記カバー体のみを交換して汚損を回復することができる。
【発明の効果】
【００１５】
以上説明したように、本発明の座蒲団は、通気性が高く、しかも座わった際の感覚に優れる。
【図面の簡単な説明】
【００１６】
【図１】本発明の一実施形態に係る座蒲団の模式的平面図である。
【図２】図１の座蒲団の袋体の説明図であって、（Ａ）は模式的平面図、（Ｂ）は模式的要部拡大平面図である。
【図３】図３は、図１の座蒲団の模式的断面図である。
【図４】図４は、図１の打座蒲団の弾性材の模式的斜視図である。
【発明を実施するための形態】
【００１７】
以下、適宜図面を参照しつつ、本発明の実施形態を詳説する。
【００１８】
＜座蒲団の構成＞
図１〜図４に示す座蒲団は、可撓性を有する袋体１と、この袋体１に収容される複数の弾性材１０と、上記袋体１を収容するカバー体２０とを備えている。
【００１９】
（弾性材）
上記弾性材１０は、図４に示すように、略円筒形状の形状を有している。この弾性材１０の材料としては、特に限定されるものではないが熱可塑性エラストマーが好適に用いられ、オレフィン系樹脂又はウレタン系樹脂が特に好適に用いられる。
【００２０】
この弾性材１０は、手で潰すことのできる程度の軟質性を持つとともに、手で潰した後に手を放した際に原状形状に向けて復元する弾性復元力を有する。なお、弾性材１０は、円筒形状の径方向のみならず軸方向にも手で潰すことのできる程度の軟質性を有することが好ましい。
【００２１】
上記弾性材１０の長さ（円筒形状の軸方向の長さ）は、特に限定されるものではないが、上記長さの上限としては、８ｍｍが好ましく、７ｍｍがより好ましい。一方、上記長さの下限としては、４ｍｍが好ましく、５ｍｍがより好ましい。上記長さが上記上限を超えると、袋体１内の一部で多くの弾性材１０が存在し、袋体１内で弾性材１０を均一に存在させることが困難となり（弾性材１０の袋体１内での偏りが生じ）、着席者が座った際の感覚（以下、「座感」ということがある）を損ねるおそれが生ずる。逆に、上記長さが上記下限未満であると、弾性材１０の径に対して小さくなり、袋体１内で弾性材１０が縦（円筒形状の軸が上下に沿う方向）に存在する割合が大きくなり、座感を損ねるおそれが生ずる。
【００２２】
また、上記弾性材１０の径（円筒状の外径）は、特に限定されるものではないが、上記径の上限としては、７ｍｍが好ましく、６ｍｍがより好ましい。一方、上記径の下限としては、３ｍｍが好ましく、５ｍｍがより好ましい。上記径が上記上限を超えると、弾性材１０の長さに対して径が大きくなり、袋体１内で弾性材１０が縦に存在する割合が大きくなり、座感を若干損ねるおそれが生ずる。逆に、上記径が上記下限未満であると、弾性材１０の径方向の弾性が小さくなり、座感を損ねるおそれが生ずるとともに、弾性部材１０の円筒形状の孔が小さくなり、通気性が劣るおそれが生ずる。
【００２３】
上記弾性材１０のアスペクト比（上記径に対する上記長さの比）は、特に限定されないが、上記アスペクト比の上限としては、１．５が好ましく、１．４がより好ましい。一方、上記アスペクト比の下限としては、１．０が好ましく１．１がより好ましい。上記アスペクト比が上記上限を超えると、弾性材１０の長さが長くなり過ぎる、あるいは弾性材１０の径が小さくなり過ぎるおそれがあり、袋体１内での弾性材１０の均一性あるいは座感が低下するおそれがある。逆に、上記アスペクト比が上記下限未満であると、袋体１内で弾性材１０が縦に存在する割合が大きくなり、座感を損ねるおそれが生ずる。
【００２４】
上記弾性材１０の側壁の平均厚さ（肉厚）は特に限定されないが、上記平均厚さの上限としては、１ｍｍが好ましく、０．５ｍｍがより好ましい。一方、上記平均厚さの下限としては、０．０５ｍｍが好ましく、０．１ｍｍがより好ましい。上記平均厚さが上記上限を超えると、弾性材１０の柔軟性が劣り、座感を損ねるおそれがある。一方、上記平均厚さが上記下限未満であると、弾性材１０の強度に欠けるおそれが生ずる。
【００２５】
（袋体）
袋体１は、上下一対のメッシュ状布体２を周縁部で接合するとともに、中央部でポイント状に連結して構成されている。つまり、袋体１は、上下方向で対向する一対のメッシュ状布体２と、一対のメッシュ状布体２を周縁部において接合する接合部３と、一対のメッシュ状布体２を中央部においてポイント状に連結する連結部４とを有している。上記接合部３で一対のメッシュ状布体２が接合されることで、袋体１が内部に弾性材１０を収容可能な袋状に形成される。また、上記袋体１における「接合」及び「連結」の方法は、特に限定されるものではないが、例えば縫製とすることが好ましい。このような縫製によって一対のメッシュ状布体２を接合又は連結することで、容易かつ確実（強固）に一対のメッシュ状布体２を接合又は連結することができる。
【００２６】
上記袋体１及びメッシュ状布体２は、平面視線対称形状に形成され、本実施形態においては平面視略円形に形成されている。なお、「略円形」とは、真円のほか楕円形状等の形状を含み、例えば長軸（中心を通る軸のうち一番長い軸）が短軸（中心を通る軸のうち一番短い軸）の１．３倍以下の形状を含む。なお、「略円形」とは周縁の全てが円弧状であることを要するものではなく、一部に直線又は凹み部分が存在していてもよい。
【００２７】
上記袋体１及びメッシュ状布体２の大きさは特に限定されるものではないが、上記袋体１（弾性材１０の充填前の袋体１）及びメッシュ状布体２の径（上記長軸の長さ及びこの長軸の直交方向の長さとの平均値）の上限としては、８０ｃｍが好ましく、５０ｃｍがより好ましい。一方、上記径の下限としては、３０ｃｍが好ましく、３５ｃｍがより好ましい。上記径が上記上限を超えると、袋体１が大きくなり過ぎ、座蒲団として用いること、特に椅子に載置して用いることが困難となるおそれがある。逆に、上記径が上記下限未満であると、袋体１が小さくなり過ぎてしまい、座蒲団としての機能が不十分となるおそれがある。
【００２８】
一対のメッシュ状布体２は、上述のように連結部４において連結されており、これにより弾性材１０の袋体１内での移動が規制されることになる。なお、「連結部４が一対のメッシュ状布体２をポイント状に連結する」とは、一つの連結部４において、平面視一点のみで接合（一点で縫製）する場合のほか、例えば２ｃｍ以下（或いは３ｃｍ以下）の直線部分で接合する場合や、例えば面積３ｃｍ２以下（或いは５ｃｍ２以下）の面状に接合する場合等を含む。つまり、連結部４周囲の弾性材１０の移動を完全に防止するものではなく、連結部４周囲の一対のメッシュ状部材２の間隔が狭まることで連結部４周囲の弾性材１０の移動を規制（ある程度の移動を許容）するよう連結部４が設けられている。
【００２９】
連結部４における一対のメッシュ状布体２間の距離の上限としては、１ｃｍが好ましく、０．５ｃｍがより好ましい。上記距離が上記上限を超えると、連結部４による弾性材１０の移動抑制機能が不十分となるおそれがある。なお、上記距離の下限としては０ｃｍが好ましい。上記距離が０ｃｍであることは、一対のメッシュ状布体２が連結部４において接合されていることを意味する。
【００３０】
上記袋体１は、複数の上記連結部４を有しており、本実施形態においては二つの連結部４が設けられている（図２（Ａ）参照）。この複数の連結部４は、袋体１の平面視中心に対して均等に配設されており、具体的には、二つの連結部４が袋体１の中心に対し点対象となるような位置に配設されている。
【００３１】
ここで、上記連結部４と上記袋体１の平面視中心との距離は、袋体１の半径（上述した袋体１の径の半分）の０．２倍以上０．５倍以下が好ましい。換言すれば、本実施形態においては二つの連結部４が袋体１の中心に対して点対称であるため、この二つの連結部４間の距離が、上述した袋体１の径の０．２倍以上０．５倍以下であることが好ましい。また、上記袋体１の半径に対する上記連結部４と袋体１の平面視中心との距離の比の下限としては、上述のように０．２が好ましく、０．２５がさらに好ましく、０．３が特に好ましい。一方、上記比の上限としては、上述のように０．５が好ましく、０．４５がさらに好ましく、０．４が特に好ましい。上記比が上記上限を超えると、連結部４が周縁部に近くなり過ぎ、連結部４と周縁部との間において弾性材１０が介在されなくなるおそれがあるとともに、この連結部４と周縁部との間において弾性材１０が移動できなくなるおそれがある。逆に、上記比が上記下限未満であると、連結部４同士の距離が近接し過ぎ、この連結部４間に弾性材１０が介在されなくなるおそれがあるとともに、この連結部４間において弾性材１０が移動できなくなるおそれがある。
【００３２】
上記メッシュ状布体２は、図２（Ｂ）のように、多数の穴２ａを有する略円形の布から構成されており、このため上記袋体１は透湿性を有している。このメッシュ状布体２は、例えば合成樹脂製シート、天然繊維製布等の公知のシート状部材から適宜形成することができる。その中でも、強度及び生産性等に優れた合成樹脂製シートからメッシュ状布体２を構成することが好ましい。なお、一対のメッシュ状布体２を同一素材から構成することも、別素材から構成することも適宜設計変更可能である。
【００３３】
上記メッシュ状布体２の穴２ａの大きさは特に限定されるものではないが、弾性材１０が袋体１から離脱しない程度の大きさを有することが好ましい。具体的には、上記穴２ａの径の上限としては、７ｍｍ以下が好ましく、６ｍｍ以下がより好ましい。一方、上記穴２ａの径の下限としては、１ｍｍが好ましく、２ｍｍがより好ましい。上記穴２ａの径が上記上限を超えると、弾性材１０が不用意に袋体１から離脱するおそれが生ずる。逆に、上記穴２ａの径が上記下限未満であると、通気性又は強度が劣るおそれ、もしくは製造コストの増大につながるおそれがある。
【００３４】
上記接合部３は、袋体１の全周縁に亘って設けられている。ここで、一対のメッシュ状布体２は、弾性材１０の収容前にまず周縁の一部を残して接合され、この残りの一部（開放部）から弾性材１０が詰められた後、残りの一部が接合されることで、接合部３によって袋状に形成された袋体１が形成される。
【００３５】
袋体１における弾性材１０の充填率は、特に限定されないが、上記充填率の上限としては、９０％が好ましく、７０％がより好ましい。一方、上記充填率の下限としては、５０％が好ましく、６０％がより好ましい。上記充填率が上記上限を超えると、弾性材１０の存在によって袋体１の形状が定まってしまい、座蒲団としての好ましい形状が得られなくなるおそれがあり、また、着席者の動作に追従して形状が変化しにくく、座骨を軸にした着席者の動作が困難となるおそれがある。一方、上記充填率が上記下限未満であると、弾性材１０の数が少ないため、弾性材１０による座感向上効果が十分に得られないおそれがある。なお、「充填率」とは、袋体１内に充填された複数の弾性材１０の総重量を袋体１に充填可能な弾性材１０の最大重量で除した値である。ここで、「袋体１に充填可能な弾性材１０の最大重量」とは、袋体１内の弾性材１０を強制的に圧縮せずに弾性材１０を作業者が普通に詰めた際の弾性材１０の最大重量を意味する。
【００３６】
弾性材１０が収容された袋体１の最大高さは、特に限定されるものではないが、上記最大高さの上限としては、１５ｃｍが好ましく、７ｃｍがより好ましい。一方、上記最大高さの下限としては、３ｃｍが好ましく、４ｃｍがより好ましい。上記最大高さが上記上限を超えると、座蒲団が厚くなり過ぎ、却って座り難くなるおそれがある。逆に、上記最大高さが下限未満であると、座蒲団が薄くなり過ぎ、緩衝性に欠け座感が劣るおれそがある。なお、上記最大高さとは、袋体１を平坦面に載置し、内部の弾性材１０を均一化した（袋体１の平面方向に弾性材１０を平均的にならした）状態で、平坦面から上方のメッシュ状布体２の上面までの距離のうち最大のものを意味する。
【００３７】
また、上記最大高さと、上述のような連結部４における一対のメッシュ状布体２間の距離との差の上限としては、１５ｃｍが好ましく、７ｃｍがより好ましい。一方、上記差の下限としては、２ｃｍが好ましく、３ｃｍがより好ましい。上記差が上記上限を超えると、座蒲団が厚くなり過ぎるおそれがある。逆に、上記差が上記下限未満であると、座蒲団が薄くなり過ぎるおそれがある。
【００３８】
さらに、二つの連結部４間における袋体１（弾性材１０を充填した袋体１を平坦面に載置し、内部の弾性材１０を均一化した状態での袋体１）の部分的最大高さは、上述の袋体１全体における最大高さよりも低いことが好ましい。これにより、着席者が着席した際に、臀部の落ち着きが良く、座感が良好となる利点を奏する。なお、上記二つの連結部４間における袋体１の部分的最大高さと、上記袋体１全体における最大高さとの差の上限としては、８ｃｍが好ましく、４ｃｍがより好ましい。一方、上記差の下限としては、１ｃｍが好ましく、２ｃｍがより好ましい。上記差が上記上限を超えると、却って座感が悪くなるおそれがある。逆に、上記差が上記下限未満であると、上記差による座感向上効果が十分に得られないおそれがある。
【００３９】
（カバー体）
上記カバー体２０は、平面視袋体１と略相似の形状で、袋体１よりも各部の寸法を数ｍｍ程度大きい形状を有している。カバー体２０は、上記袋体１を収脱可能な開口部（図示省略）と、この開口部を開閉するファスナー等の開閉手段（図示省略）とを有している。このカバー体２０は可撓性を有しており、このカバー体２０の材質としては特に限定されるものではないが、例えば合成繊維、天然繊維等から構成される編物とすることができる。また、カバー体２０に抗菌、防臭、静電気防止等の効果を有する布地を用いることで、使用者の肌にやさしく衛生的な座蒲団を提供することができる。
【００４０】
＜当該座蒲団の使用方法及び利点＞
当該座蒲団は、事務椅子等の椅子の座面に載置して用いられ、袋体１が平面視略円形、つまりは当該座蒲団が平面略円形に設けられているので、容易かつ確実に椅子の座面に載置できるという利点を有する。なお、以下、当該座蒲団に着席者が着席する際、及び離席する際についてのそれぞれ利点を説明する。
【００４１】
（着席時）
椅子の座面に着席者が着席すると、当該座蒲団は変形しつつ着席者の体重を支える。当該座蒲団は、袋体２が弾性体１０を内部に収容するので、緩衝性に優れ、着席者の臀部や腰部の負荷を低減できる。特に、当該座蒲団は柔軟性に優れているので、着席者は正しい座骨の位置で着席することができる。しかも、当該座蒲団は、上述のように柔軟性に優れているため、正しい位置にある座骨を軸にして着席者が動作を行った際に、この動作に伴って容易に変形することができるため、着席者が座骨を軸にした動作を容易に行うことができる。
【００４２】
また、袋体２内の弾性材１０が略円筒状であり、この略円筒状の弾性材１０は容易に変形可能であるので、上記着席者の着席に際して、着席者の体重による弾性材１０への力は弾性材１０の移動よりも弾性材１０の変形に寄与するため、着席に際して弾性材１０が袋体１内を不必要に移動せず、これにより当該座蒲団は座感が優れる。
【００４３】
また、袋体１が連結部４を有するので、この連結部４によって上記着席の際の弾性材１０の移動をより的確に規制することができ、これにより当該座蒲団はより座感が優れる。しかも、上記連結部４は、着席者の着席後の体重移動による弾性材１０の移動も的確に規制することができ、良好な座感を確実に維持することができる。
【００４４】
さらに、袋体１は二つの上記連結部４を有しているので、上記弾性材１０の移動をより的確に規制できる。しかも、この二つの連結部４は、袋体１の平面視中心に対して点対称位置に配設されているので、袋体１の径方向への弾性材１０の移動を的確に規制できる。しかも、この連結部４における一対のメッシュ状布体２間の距離を１ｃｍ以内とすることで、袋体１内での弾性材１０の移動をより好適に規制できる。
【００４５】
また、平均外径３ｍｍ以上７ｍｍ以下、平均長さ４ｍｍ以上８ｍｍ以下、側壁の平均厚さ０．０５ｍｍ以上１ｍｍ以下の弾性材１０を弾性材１０として用いることで、上記着席の際及び着席後の弾性材１０の移動がより的確に規制される。
【００４６】
さらに、袋体１を主に構成する部材がメッシュ状布体２であるため、着席によって上述のように変形した弾性材１０の一部分がメッシュ状布体２の穴２ａに入り込みやすく、これにより弾性材１０の移動がより的確に規制できる。
【００４７】
（離席時）
次に、当該座蒲団に着席していた着席者が離席した際の作用及び利点について説明する。着席者が離席すると、それまで圧縮変形していた弾性材１０は、着用者の体重から開放されることで原状形状に向けて復元する。これにより、仮に袋体１内の一部に弾性材１０が偏った場合でも、当該座蒲団を傾ける、当該座蒲団を上下から手で挟む等の作業によって偏った弾性材１０を移動させて、上記偏りを容易に解消することができる。
【００４８】
この偏りの解消に際しては、袋体１の連結部４によって必要以上の移動が抑制されるため、確実に偏りを解消できる。つまり、仮に連結部４が存在しない場合には、例えば座蒲団を傾けると、複数の弾性材１０の全体が傾けた下方に移動してしまうおそれがあるが、当該座蒲団は上記連結部４によって一対のメッシュ状布体２間の距離が規制されるので、弾性材１０の全体的な下方への移動が規制でき、これにより上記偏りの解消を容易に行うことができる。
【００４９】
また、袋体１の中心に対し点対称に配置された二つの連結部４間の距離が、袋体１の径の０．２倍以上０．５倍以下であるため、上述の偏りの解消に際して連結部４間において好適な弾性材１０の移動ができ、また連結部４と袋体２の周縁部との間においても好適に弾性材１０の移動ができる。
【００５０】
（通気性）
当該座蒲団は、弾性材１０が略円筒形であり、この弾性材１０を収容する袋体１が通気性を有するため、座蒲団内部の通気性に優れている。
【００５１】
特に、当該打布団は、上述の離席時において弾性材１０が弾性力によって原状形状に向けて復元し、この弾性材１０が略円筒状であるため、良好な通気性が得られる。
【００５２】
また、上述の着席後においては、着席者の体重が作用する弾性材１０は圧縮変形されることで内部の空洞部分（円筒状の内部）が閉塞されるものの、周囲の圧縮変形されていない弾性材１０が存在することで、上記透湿性の一部が確保される。また、袋体１には複数の弾性材１０が収容されるため、上記圧縮変形された弾性材１０は、隣接する他の圧縮変形された弾性材１０との間に隙間が生じ、この隙間の部分からある程度の通気性が得られる。
【００５３】
（その他の利点）
当該座蒲団は、上記袋体２を収容するカバー体２０を備えているので、当該座蒲団の意匠性を向上させることができるとともに、当該座蒲団が汚損した場合にも、外部の上記カバー体２０のみを交換して汚損を回復することができる。
【００５４】
また、弾性体１０がオレフィン系樹脂、ウレタン系樹脂等の熱可塑性エラストマー製であることで、好ましい弾性を有する円筒状の弾性体１０を容易かつ確実に製造することができる。
【００５５】
＜その他の実施形態＞
本発明の座蒲団は、上述の実施形態に限定されるものではなく、本発明の意図する範囲内で適宜設計変更事項である。
【００５６】
例えば、上記実施形態においては、袋体が二つの連結部を有するものについて説明したが、連結部の個数は本発明において適宜設計変更可能である。すなわち、袋体が三つ以上の連結部を有するものも本発明の意図する範囲内であり、例えば連結部を四つ設けることも可能である。なお、三つ以上連結部を設けた場合にも、連結部を袋体の平面視中心に対し均等に配設することが好ましく、例えば四つの連結部を設ける場合、各連結部を結んだ仮想形状が略正方形状となるよう配設することが好ましい。
【００５７】
また、上記実施形態においては、袋体が平面視略円形であるものについて説明したが、本発明はこれに限定されず、例えば袋体が平面視略方形状（例えば略正方形状）であっても良い。但し、上述のように椅子の座面への載置の容易性、及び弾性材の均一性を考慮すると、上記実施形態のように平面視略円形であることが好ましい。
【００５８】
さらに、上記実施形態においては、袋体が開口部（及びファスナ）を有さず、全周縁においてメッシュ状布体が接合されているものに説明したが、本発明はこれに限定されない。つまり、袋体が、弾性材を収脱可能な開口部と、この開口部を開閉するファスナー等の開閉手段とを有する構成も適宜採用可能である。
【産業上の利用可能性】
【００５９】
以上のように、本発明の座蒲団は、通気性が高く、しかも座わった際の感覚に優れるため、例えば事務椅子等の椅子に載置して好適に用いることができる。
【符号の説明】
【００６０】
１  袋体
２  メッシュ状布体
２ａ  穴
３  接合部
４  連結部
１０  弾性材
２０  カバー体
【図１】
2015054227.tif 000003
【図２】
2015054227.tif 000004
【図３】
2015054227.tif 000005
【図４】
2015054227.tif 000006